(57)【特許請求の範囲】
【請求項１】
天井と床面にそれぞれ固定した天レールと地レール間に複数の支柱を立設し、隣接する支柱間にパネルの両側部を前面側からの嵌合作業のみで取付けるとともに、該パネルの下部を前記支柱の下端部に取付けたパネル受具によって支持し、パネルの上端部を天押え具にて上動を規制してなる壁面パネル装置であって、前記支柱の上部又は支柱を前記天レールに保持するために設けた天固定部材のパネル装着面側に嵌合孔を形成し、前記天押え具は、本体部の背面の偏心位置に前記嵌合孔に抜け止め嵌合する突起を形成するとともに、本体部の周囲に複数の当止側面を形成し、前記突起の中心から各当止側面までの距離を互いに異なる寸法に設定し、何れか一つの当止側面でパネルの上端を当止してなることを特徴とする壁面パネル装置。
【請求項２】
前記天押え具は、本体部の正面視形状が四角形であり、該本体部の周囲に前記当止側面を四面形成したものである請求項１記載の壁面パネル装置。
【請求項３】
前記天押え具の本体部の正面であって、前記突起の延長線上にドライバーの係合穴を形成してなる請求項１又は２記載の壁面パネル装置。
【請求項４】
前記嵌合孔は、前記支柱の上部又は前記天固定部材のパネル装着面側に二列で複数段に形成してなる請求項１又は２又は３記載の壁面パネル装置。
【発明の詳細な説明】
【０００１】
【発明の属する技術分野】
本発明は、室内空間の間仕切壁又は構造壁面に沿って設けて化粧壁を形成する壁面パネル装置に係わり、更に詳しくは立設した支柱にパネルを装着するとともに、該パネルの上動を規制してなる壁面パネル装置に関する。
【０００２】
【従来の技術】
従来、天井と床面にそれぞれ固定した天レールと地レール間に複数の支柱を立設し、該支柱を介して複数のパネルを取付け、該パネルの下部を前記支柱の下端部に取付けたパネル受具によって支持するとともに、隣接するパネルの上端部同士と支柱の上端部とを天連結具にて連結し、パネルの上動を規制してなる構造の壁面パネル装置は、本出願人の先願に係る特開平１０−３１７５５０号公報にて開示されている。
【０００３】
つまり、前述の壁面パネル装置は、前記支柱は支柱部の少なくとも前面に断面略Ｔ字形の保持部を有し且つ側面上部に装着孔を有し、前記パネルは両側縁に前記保持部に嵌合するＵ字溝部を設けた係合縁を有し且つ上部縁板の端部に係合孔を有し、前記天連結具は前記保持部を突設した支柱部の前面又は後面に接合する基板の中央部から下端へかけて前記保持部の首部を受け入れる開口部を形成するとともに、該基板の上端に外向きに押え板を形成し且つ該押え板の両端前縁に下向き係合爪を折曲形成し、更に前記基板の下端部両縁に後向きに前記支柱部の両側面に接合する規制板を直角に形成するとともに、各規制板に上方内方へ傾斜した戻止爪を形成したものであり、前記支柱の保持部の首部を天連結具の開口部に受け入れて、基板と両規制板とで支柱部を抱持するとともに、両下向き係合爪を隣接するパネルの係合孔に係入し且つパネルの上方縁板を押え板で押さえると同時に、各戻止爪が対応する装着孔に戻り止め状態で係合するものである。
【０００４】
前記天連結具によって、隣接するパネルの上端部同士と支柱の上端部とを確実に連結してパネルに面外方向の引き離し力が作用しても該パネルが支柱から外れないようにすることができ、更にパネルの上動を規制して前記パネル受具による係合が外れることがないようにすることができるが、パネルの上部縁板の端部に係合孔を形成する必要があるため、該パネルの上下寸法は規定のものとならざるを得ない。しかし、施工現場では、天井面と床面の間隔は一定ではないため、その間隔にパネルを合致させるには、種々の上下寸法のパネルを用意しなければならず、コスト高となるばかりでなく、パネルの種類が増えると現場施工が煩雑になる。
【０００５】
そこで、一定の上下寸法のパネルを用意し、現場施工の天井面と床面の間隔に合わせて該パネルの上部を切断することが考えられるが、前述の天連結具は、パネルの切断面に適用できるものではなかった。
【０００６】
【発明が解決しようとする課題】
そこで、本発明が前述の状況に鑑み、解決しようとするところは、現場施工の天井面と床面の間隔に合わせて上部を切断した該パネルを、隣接する支柱間に前面側からの嵌合作業のみで取付けるとともに、該パネルの上動を規制して装着することが可能な壁面パネル装置を提供する点にある。
【０００７】
【課題を解決するための手段】
本発明は、前述の課題解決のために、天井と床面にそれぞれ固定した天レールと地レール間に複数の支柱を立設し、隣接する支柱間にパネルの両側部を前面側からの嵌合作業のみで取付けるとともに、該パネルの下部を前記支柱の下端部に取付けたパネル受具によって支持し、パネルの上端部を天押え具にて上動を規制してなる壁面パネル装置であって、前記支柱の上部又は支柱を前記天レールに保持するために設けた天固定部材のパネル装着面側に嵌合孔を形成し、前記天押え具は、本体部の背面の偏心位置に前記嵌合孔に抜け止め嵌合する突起を形成するとともに、本体部の周囲に複数の当止側面を形成し、前記突起の中心から各当止側面までの距離を互いに異なる寸法に設定し、何れか一つの当止側面でパネルの上端を当止してなる壁面パネル装置を構成した。
【０００８】
ここで、前記天押え具は、本体部の正面視形状が四角形であり、該本体部の周囲に前記当止側面を四面形成したものであることが好ましい。また、前記天押え具の本体部の正面であって、前記突起の延長線上にドライバーの係合穴を形成してなるも好ましい。そして、前記嵌合孔は、前記支柱の上部又は前記天固定部材のパネル装着面側に二列で複数段に形成すれば、更に多様なパネルの上下寸法に対応できるのである。
【０００９】
【発明の実施の形態】
次に本発明の実施形態を添付図面に基づき更に詳細に説明する。図１は本発明に係る壁面パネル装置の分解斜視図であり、図中符号１は天レール、２は地レール、３は支柱、４は横桟、５Ａは下パネル、５Ｂは上パネルをそれぞれ示している。本実施形態では、パネルを下パネル５Ａと上パネル５Ｂとに分割した構造のものを示したが、１枚物のパネルでも勿論構わないのである。
【００１０】
本発明に係る壁面パネル装置は、天井と床面にそれぞれ天レール１と地レール２とを固定し、該天レール１と地レール２間に、複数の支柱３，…を立設するとともに、隣接する支柱３，３間に横桟４を取付けて両支柱３，３の間隔を一定に設定し、そして両支柱３，３の表裏両面側又は表面側に下パネル５Ａと上パネル５Ｂを取付けて、室内空間に間仕切壁を構成したり、構造壁面に沿って形成して化粧壁を構成したりするものである。
【００１１】
前記支柱３には、その下端にアジャスター部材６を嵌着するとともに、下パネル５Ａの下部を支持するパネル受具７を固定し、その上端に天固定部材８を嵌着するとともに、上パネル５Ｂの上動を規制するための天押え具９を取付けている。また、隣接した支柱３，３間には、金属製のブラケット１０と合成樹脂製の保持部材１１とで前記横桟４を架設している。そして、下パネル５Ａの両側上端部と上パネル５Ｂの両側下端部は、それぞれ嵌合構造によって互いに連結している。
【００１２】
更に詳しく本発明に係る壁面パネル装置の各部材を以下に説明する。先ず、前記天レール１は、レール部材１２と該レール部材１２の少なくともパネル装着面側に沿って前面側から嵌着するカバー部材１３とからなり、レール部材１２に形成した下方へ向いた凹溝１Ａ内に前記天固定部材８を受け入れて支柱３を立起状態に保持する。また、前記地レール２は、上方開放した断面コ字形の長尺部材で床面Ｆにネジ止め等の適宜な固定手段で固定するものあり、その上方へ向いた凹溝２Ａに前記アジャスター部材６を受け入れて支柱３を立起状態に保持する。
【００１３】
そして、本発明は、図２及び図３に示すように、前記支柱３の上部又は支柱３を前記天レール１に保持するために設けた天固定部材８のパネル装着面側に嵌合孔１４を形成し、前記天押え具９は、本体部１５の背面の偏心位置に前記嵌合孔１４に抜け止め嵌合する突起１６を形成するとともに、本体部１５の周囲に複数の当止側面１７，…を形成し、前記突起１６の中心から各当止側面１７，…までの距離を互いに異なる寸法に設定し、何れか一つの当止側面１７でパネル５（上パネル５Ｂ）の上端を当止してなるものである。本実施形態では、前記嵌合孔１４を天固定部材８に設けたが、前記支柱３の上部に直接設けても良いのである。
【００１４】
更に具体的には、前記天押え具９は、本体部１５の正面視形状が四角形であり、該本体部１５の周囲に前記当止側面１７を四面形成したものである。ここで、前記突起１６の中心から各当止側面１７，…までの距離を、短い順にＤ１、Ｄ２、Ｄ３、Ｄ４に設定し、それに対応する当止側面１７を１７Ａ、１７Ｂ、１７Ｃ、１７Ｄとして示している。
【００１５】
また、前記天押え具９の本体部１５の正面であって、前記突起１６の延長線上にドライバーの係合穴１８を形成し、当該天押え具９の突起１６を前記嵌合孔１４に嵌入する際に、係合穴１８にドライバーの先端を係合した状態で、該ドライバーで押し込むのである。また、選択した当止側面１７と上パネル５Ｂの上端との間に隙間がある場合には、ドライバーで天押え具９を回転させ、上パネル５Ｂの上端に他の当止側面１７を密接させることも可能である。このように、前記天押え具９を用いれば、図４に示すように、４通りの上パネル５Ｂの上端高さ位置に対応できるのである。更に、図２及び図７に示すように、前記嵌合孔１４は、前記天固定部材８のパネル装着面側に二列で複数段、本実施形態では３段に形成している。これにより、上下の嵌合孔１４，１４の間隔を、前記Ｄ１、Ｄ２、Ｄ３、Ｄ４と一致させない場合には、４×３（１２）通りの組み合わせができ、更に多様なパネルの高さに対応できるのである。
【００１６】
本実施形態では、前記下パネル５Ａの上下寸法は規定のものを用い、上パネル５Ｂの上下寸法のものでも、また多少大き目のものを用意しておき、施工現場で上部を切断して使用するものでも良いのである。
【００１７】
また、前記支柱３は、図１、図５、図７、図８及び図９に示すように、断面略正方形の中空の支柱部１９を有し、該支柱部１９の表裏両面の中央部に沿って断面略Ｔ字形の保持部２０を一体形成したものである。ここで、前記保持部２０は、支柱部１９から突出した首部２０Ａと、該首部２０Ａの両側に突出した係合部２０Ｂ，２０Ｂとを有している。本実施形態では、前記支柱３はスチール板を折曲形成して作製したものを例示したが、アルミニウム製で押出し成形したものでも勿論構わない。
【００１８】
また、前記下パネル５Ａと上パネル５Ｂは、図１、図５、図７及び図１１に示すように、上下寸法が異なる以外は同一の構造を有し、スチール板の周囲を内向きに折曲形成して作製し、表面板２１の周囲に背面側へ縁板２２を直角に折曲形成するとともに、両側部の縁板２２，２２の端縁を内方へ折曲し、その内縁を断面Ｕ字状に折返して弾性を有する係合縁２３を形成し、更に前記表面板２１の背面側にその周囲を余して石膏ボード２４を接着した構造である。そして、前記係合縁２３は、前記支柱３の係合部２０Ｂに係合するＵ字溝部２３Ａと、該Ｕ字溝部２３Ａに連続して内方へ断面Ｖ字状に折り返した案内部２３Ｂとを有している。また、前記下パネル５Ａの係合縁２３の下部と、それに連続する下縁板２２，２２の両端部及び両側の縁板２２，２２の一部を切り欠いて切欠部２５を形成している。
【００１９】
前記アジャスター部材６は、図１、図５及び図６に示すように、前記支柱３の支柱部１９の下端部に嵌挿するアジャスター受具２６と、該アジャスター受具２６に螺合したアジャスターボルト２７とからなり、前記アジャスター受具２６の両側面の上部には、支柱部１９の内面に密嵌状態で当接する一対の垂直な圧接片２８，２８を切起し形成するとともに、その下方に前記支柱部１９の下端を当止する三角ダボ２９を切起し形成している。
【００２０】
前記天固定部材８は、図１、図７及び図１４に示すように、前記支柱３の支柱部１９の上端部に弾性状態で嵌挿する断面コ字形の部材であり、対向する前後両面に支柱部１９の内面に圧接し、また天レール１の凹溝１Ａの内面に圧接する凸部３０を複数形成するとともに、上端には天レール１及び天井にネジ止めするための固定片３１を折曲形成している。尚、この天固定部材８は、支柱３の上端部に嵌着しておき、該支柱３を立起状態となした後に、突き上げて上方へスライドさせて天レール１の凹溝１Ａ内に当接させるものであるが、壁面パネル装置の端部に位置する支柱３に設けたものにあっては、前記固定片３１，３１を利用して天レール１及び天井にネジ止め固定する。また、前記天固定部材８の一側面に縦長の凹陥部３２を形成し、その底部に沿ってスリット溝３３を形成し、前記支柱部１９の側面上部に形成した通孔３４に挿通したネジ３５を前記スリット溝３３に螺合して支柱３に固定するようにしている。
【００２１】
そして、前記支柱３を上下の天レール１と地レール２間に立設するには、以下のようにして行う。先ず、各アジャスター部材６を上下反転させて地レール２の凹溝２Ｂ内に載置し、各アジャスターボルト２７を回転させてその上面のレベル出しを行う。それから、アジャスター部材６を上下反転させて所定の支柱３の支柱部１９の下端部に嵌入し、該支柱部１９の下端が三角ダボ２９に当たるまで挿入し（図５及び図１２参照）、また各支柱３の支柱部１９の上端部には前述の天固定部材８を嵌着する。次に、支柱３を傾斜させた状態で、アジャスター部材６を地レール２の凹溝２Ａ内に配し、それから支柱３を立起させて天固定部材８を天レール１の凹溝１Ｂ内に配する。そして、前記天固定部材８を天レール１に当接するまで上方へ突き上げて、支柱３を立起状態に保持する（図１４参照）。この場合、前記支柱３の下端部における各首部２０Ａにスリット３６，…を形成し、該スリット３６内に地レール２の両垂直板２Ｂ，２Ｂを嵌挿する。
【００２２】
このように略一定間隔に複数の支柱３，…を立設した後、隣接する支柱３，３間に前記横桟４を架設して、該支柱３，３の間隔を正確に一定に設定する。前記横桟４は、図１、図８〜図１０に示すように、上面板３７とその前後両縁から垂下した側面板３８，３８とからなる下方開放した断面コ字形の長尺部材であり、前記上面板３７の両端部には嵌合孔３９を形成するとともに、該嵌合孔３９よりも中央寄りに配線用の開口４０を形成している。
【００２３】
また、前記ブラケット１０は、水平な載置板４１と垂直な支持板４２とで正面視倒Ｌ字形に形成した部材であり、前記載置板４１の基端部両側に上向き突片４３，４３を切起し形成するとともに、前記支持板４２の下端部両側に横向き突片４４，４４を折曲形成し、更に前記載置板４１の遊端側であって、略中央部に上向きに係合片４５を切起し形成したものである。一方、前記上向き突片４３，４３及び横向き突片４４，４４を係合する前記支柱３の両側面に、４つの係止孔４６，…を形成している。
【００２４】
また、前記保持部材１１は、合成樹脂製で一体成形したものであり、前記ブラケット１０の載置板４１に上方から外嵌する凹部４７を下面側に形成するとともに、前記係合片４５を嵌入する孔を中心部に有し且つ前記横桟４の嵌合孔３９に抜け止め嵌合する嵌合突部４８を突設し、更に支柱３の側面側に対面する前後端縁に沿って、該支柱３の側面に当接し且つ横桟４の側面板３８，３８の端縁に当接するスペーサー４９をそれぞれ突設している。尚、前記嵌合突部４８は、外周に前記横桟４の上面板３７の嵌合孔３９の上側孔縁に係止する三角形状の突部４８Ａを有するとともに、十文字状のスリット４８Ｂを形成し、内外に弾力性を持たせている。
【００２５】
そして、隣接する支柱３，３間に横桟４を架設するには、先ずブラケット１０を傾斜させた状態で上向き突片４３，４３を支柱３の上側の係止孔４６，４６に挿入した後、該ブラケット１０の載置板４１が水平になるように上向き突片４３を中心として回転させて横向き突片４４，４４を下方の係止孔４６，４６に挿入し、支持板４２を支柱３の側面に当接する。この状態で、ブラケット１０から手を離しても該ブラケット１０は落下することはない。それから、前記保持部材１１の凹部４７を上方からブラケット１０の載置板４１に外嵌するとともに、嵌合突部４８の内部に係合片４５を挿入する。この状態で、保持部材１１はブラケット１０に対して前後左右に移動することはない。そして、前記横桟４を保持部材１１に上方から載置して、前記嵌合孔３９内に前記嵌合突部４８を抜け止め嵌合するとともに、上面板３７を保持部材１１の上面に載置し且つ側面板３８，３８の端縁を保持部材１１の両スペーサー４９，４９に当接して取付ける。この取付状態において、前記支柱３の側面と横桟４の端部間に前記保持部材１１のスペーサー４９，４９が介在するのである。従って、支柱３と横桟４がスチール製で形成されていても、合成樹脂からなるスペーサー４９がその間に介在しているので、壁面パネル装置に外圧が加わって支柱３と横桟４とに相対的に変位する力が作用しても、金属同士が擦れることがないので、金属音が発生しないのである。
【００２６】
本発明に係る壁面パネル装置は、室内空間を間仕切る場合には、前述の如く立設した支柱３，…の表裏両面に下パネル５Ａ，…と上パネル５Ｂ，…を装着して間仕切壁を形成するが、構造壁面に沿って設ける場合には、表面側にのみ下パネル５Ａ，…と上パネル５Ｂ，…を装着すれば良く、その場合に端から支柱３と下パネル５Ａとを順次組み立てていけば、支柱３，…の間隔は下パネル５Ａによって規定されるので、支柱３，３間に横桟４を架設しなくても良い。
【００２７】
次に、前記支柱３，…に下パネル５Ａと上パネル５Ｂを装着する構造を説明する。前記下パネル５Ａと上パネル５Ｂは、両側に形成した係合縁２３，２３のＵ字溝部２３Ａ，２３Ａを、両側に位置する支柱３，３の各保持部２０，２０の係合部２０Ｂ，２０Ｂに弾性的に嵌合するとともに、該下パネル５Ａの下部を前記支柱３の下端部とアジャスター部材６に取付けた前記パネル受具７によって支持し、そして上パネル５Ｂの両側下端縁の内側に沿って下向きに係合片５０を下パネル５Ａの上端縁背面側に係止し、該上パネル５Ｂの上部を前記天押え具９によって上動を規制して装着するのである。
【００２８】
具体的には、前記パネル受具７は、図５、図６、図１１〜図１３に示すように、前記支柱３の支柱部１９の側面、即ち前記保持部２０を突設していない面に接合する基板５１の両側に、前記支柱３の下端部のスリット３６，３６に挿入する突片５２，５２を下部に直角に延設するとともに、その上方に前記支柱部１９の前後面、即ち前記保持部２０を突設した面に接合する折曲板５３，５３を直角に形成し、各折曲板５３の上端に前記下パネル５Ａの切欠部２５の上端、即ち前記係合縁２３の下端２３Ｃを載置する水平な支持片５４を折曲形成し且つ該支持片５４の外側縁に逆Ｊ字形の弾片５５を立ち上げ形成し、更に前記折曲板５３の上部に前記支持片５４を補強するための折曲片５６を折曲形成したものである。
【００２９】
そして、前記支柱３の支柱部１９の下端部にアジャスター部材６のアジャスター受具２６を嵌挿し、支柱部１９の下端を三角ダボ２９を当止した状態で、前記パネル受具７の基板５１を支柱部１９の側面に接合し且つ両折曲板５３，５３を支柱部１９の前後面に接合した状態で、基板５１の上部に設けた通孔５７，５７に挿通したネジ５８，５８を支柱部１９に形成した螺孔５９，５９又は孔に螺合して固定する。
【００３０】
それから、前記下パネル５Ａを所定の装着位置よりも若干上方位置に、前記下パネル５Ａの一側のＵ字溝部２３Ａを対応する支柱３の係合部２０Ｂに斜め側方から係合した後、下パネル５Ａの他側を対応する他の支柱３に押圧し、前記係合部２０Ｂに案内部２３Ｂを摺接して係合縁２３を弾性変形させながら乗り越えさせて、Ｕ字溝部２３Ａを係合部２０Ｂに係合する。そして、前記下パネル５Ａを下方へスライド移動させて、前記係合縁２３の下端２３Ｃをパネル受具７の支持片５４の上面で載支するとともに、前記弾片５５を下パネル５Ａの表面板２１とＵ字溝部２３Ａとの間に嵌入して、ガタツキなく下パネル５Ａの下部を支持するのである。
【００３１】
また、上パネル５Ｂも下パネル５Ａと同様に両支柱３，３に係合する。即ち、所定の装着位置よりも若干上方位置に、前記上パネル５Ｂの一側のＵ字溝部２３Ａを対応する支柱３の係合部２０Ｂに斜め側方から係合した後、上パネル５Ｂの他側を対応する他の支柱３に押圧し、前記係合部２０Ｂに案内部２３Ｂを摺接して係合縁２３を弾性変形させながら乗り越えさせて、Ｕ字溝部２３Ａを係合部２０Ｂに係合する。そして、上パネル５Ｂを下方へスライド移動させて、下端の係合片５０を下パネル５Ａに係止する。
【００３２】
このように、隣接する両支柱３，３間に取付けた上パネル５Ｂの上端部は、寸法調節のため切断することがあるが、その場合、上パネル５Ｂの切断縁が露出したままでは外観性に劣るため、本実施形態では前記天レール１を構成するカバー部材１３で隠蔽している。
【００３３】
前記レール部材１２は、天井に固定する長尺部材であり、本実施形態ではアルミニウムの押出し成形した型材である。図1４には、天井Ｓにレール部材１２を取付けて支柱３の上部を付き合い状態で立設し、該支柱３の表裏両面に装着した上パネル５Ｂの上端部を、レール部材１２に取付けたカバー部材１３で隠蔽した状態を示している。
【００３４】
更に詳しくは、前記レール部材１２は、中央部に凹溝１Ａを有し、その両側に前記嵌合溝６０，６０を側方へ開放した状態で形成し、各嵌合溝６０内の両側面部に該溝に沿って係合突条６１，６２を形成したものであり、両係合突条６１，６２の内、前記凹溝１Ａの底壁部６３の略延長線上に設けたもの、つまりパネル５Ｂの端縁部から離れた方を第１係合突条６１とし、もう一方を第２係合突条６２としている。
【００３５】
また、前記カバー部材１３は、弾性復元性を有する素材、例えば合成樹脂製で形成し、前記パネル５Ｂの上端縁部を隠蔽する化粧板６４部分が、二条の係合爪６５，６６が延びた方向に対して鋭角となして該パネル５Ｂ側に傾斜したものである。更に、前記カバー部材１３の二条の係合爪６５，６６の内、前記パネル３から離れた方を第１係合爪６５とし、もう一方を第２係合爪６６としている。
【００３６】
そして、前記カバー部材１３を前面側から前記レール部材１２の所定位置に取付ける際に、両係合爪６５，６６をレール部材１２の嵌合溝６０内に挿入すると、第１係合爪６５が第１係合突条６１を乗り越えて係止すると略同時に第２係合爪６６が変形しながら第２係合突条６２に係止するとともに、化粧板６４が外側に湾曲してその先端部がパネル５Ｂの表面を押圧する。
【００３７】
また、図１５及び図１６に示した実施形態は、壁面パネル装置の上部をガラスパネル６７としたものである。このガラスパネル６７は、前記天レール１３に取付けた上部枠体６８と隣接する両支柱３，３に取付けた側部枠体６９，６９及び図示しない中間枠体とで囲まれた空間内にそれぞれパッキン７０，７１，７１によって弾性的に保持されている。ここで、前記上部枠体６８は、その上部に前記レール部材１２の凹溝１Ａ内に嵌合する突部７２を有するとともに、支柱３に装着状態の前記パネル５Ａの表面と同一レベルの厚さの枠部７３とを有し、該枠部７３は前記カバー部材１３で覆われている。また、前記レール部材１２の凹溝１Ａの開口部近傍には内向きに開口した係合溝７４，７４を有し、該係合溝７４，７４に前記突部７２の前後面に突設したダボ７５，７５を係合して、当該上部枠体６８はレール部材１２に取付けてある。ここで、前記突部７２は、レール部材１２の凹溝１Ａ内に嵌合する際に、上端部の薄肉部が弾性的に湾曲するようにしている。また、上部枠体６８の下面には前記パッキン７０を嵌着する溝７６を形成してあり、また側部枠体６９の内側面にも前記パッキン７１を嵌着する溝７７を形成してある。尚、前記側部枠体６９は、支柱３の略半分を囲むように外嵌している。
【００３８】
【発明の効果】
以上にしてなる請求項１に係る発明の壁面パネル装置は、支柱の上部又は支柱を天レールに保持するために設けた天固定部材のパネル装着面側に嵌合孔を形成し、天押え具は、本体部の背面の偏心位置に前記嵌合孔に抜け止め嵌合する突起を形成するとともに、本体部の周囲に複数の当止側面を形成し、前記突起の中心から各当止側面までの距離を互いに異なる寸法に設定し、何れか一つの当止側面でパネルの上端を当止してなるので、天井面と床面の間隔が一定ではなくても、その間隔に合わせて上部を切断した該パネルを、隣接する支柱間に前面側から取付けた状態で、天押え具でパネルの上動を確実に規制することができる。
【００３９】
請求項２に係る発明は、天押え具を嵌合孔に嵌着する際に、その下面側に向く当止側面を選択することにより、４段階のパネルの高さに対応することができる。
【００４０】
請求項３に係る発明は、天押え具の本体部に形成した係合穴に、ドライバーの先端を係合させた状態で突起を嵌合孔に嵌入することができるので、嵌着作業が極めて容易であるとともに、選択した当止側面とパネルの上端との間に隙間がある場合には、ドライバーで天押え具を回転させ、パネルの上端に他の当止側面を簡単に密接させることができる。
【００４１】
請求項４に係る発明は、嵌合孔を支柱の上部又は天固定部材のパネル装着面側に二列で複数段に形成することにより、更に多様なパネルの高さに対応することができる。
【図面の簡単な説明】
【図１】本発明に係る壁面パネル装置の簡略分解斜視図である。
【図２】本発明の要部を示す斜視図である。
【図３】本発明に係る天押え具の正面図である。
【図４】本発明に係る天押え具を用いてパネルの上端を当止した状態の簡略正面図である。
【図５】壁面パネル装置の下部構造を示す部分分解斜視図である。
【図６】同じく組立状態の部分縦断面図である。
【図７】壁面パネル装置の上部構造を示す部分分解斜視図である。
【図８】支柱に横桟を連結する構造を示す部分分解斜視図である。
【図９】同じく支柱と横桟の連結状態を示す部分横断面図である。
【図１０】同じく支柱と横桟の連結状態を示す部分縦断面図である。
【図１１】パネル受具を用いて下パネルの下部を支持する構造を示す分解斜視図である。
【図１２】同じく組立状態の壁面パネル装置の下部構造を示す部分縦断面図である。
【図１３】同じく組立状態の壁面パネル装置の下部構造を示す部分横断面図である。
【図１４】天押え具を用いて上パネルの上部を当止した組立状態を示す部分縦断面図である。
【図１５】上部にガラスパネルを設けた実施形態を示す縦断面図である。
【図１６】同じく横断面図である。
【符号の説明】
Ｓ  天井                    Ｆ  床面
１  天レール                １Ａ  凹溝
２  地レール                ３  支柱
４  横桟                    ５  パネル
５Ａ  下パネル              ５Ｂ  上パネル
６  アジャスター部材        ７  パネル受具
８  天固定部材              ９天押え具
１０  ブラケット            １１  保持部材
１２  レール部材            １３  カバー部材
１４  嵌合孔                １５  本体部
１６  突起                  １７  当止側面
１８  係合穴                １９  支柱部
２０  保持部                ２１  表面板
２２  縁板                  ２３  係合縁
２４  石膏ボード            ２５  切欠部
２６  アジャスター受具      ２７  アジャスターボルト
２８  圧接片                ２９  三角ダボ
３０  凸部                  ３１  固定片
３２  凹陥部                ３３  スリット溝
３４  通孔                  ３５  ネジ
３６  スリット              ３７  上面板
３８  側面板                ３９  嵌合孔
４０  開口                  ４１  載置板
４２  支持板                ４３  突片
４５  係合片                ４５  係合片
４６  係止孔                ４７  凹部
４８  嵌合突部              ４９  スペーサー
５０  係合片                ５１  基板
５２  突片                  ５３  折曲板
５４  支持片                ５５  弾片
５６  折曲片                ５７  通孔
５８  ネジ                  ５９  螺孔
６０  嵌合溝                ６１  第１係合突条
６２  第２係合突条          ６３  底壁部
６４  化粧板                ６５  第１係合爪
６６  第２係合爪            ６７  ガラスパネル
６８  上部枠体              ６８  上部枠体
６９  側部枠体              ７０  パッキン
７１  パッキン              ７２  突部
７３  枠部                  ７６  溝
７７  溝
【図１】
0003543684.tif 000002
【図２】
0003543684.tif 000003
【図３】
0003543684.tif 000004
【図４】
0003543684.tif 000005
【図５】
0003543684.tif 000006
【図６】
0003543684.tif 000007
【図７】
0003543684.tif 000008
【図８】
0003543684.tif 000009
【図９】
0003543684.tif 000010
【図１０】
0003543684.tif 000011
【図１１】
0003543684.tif 000012
【図１２】
0003543684.tif 000013
【図１３】
0003543684.tif 000014
【図１４】
0003543684.tif 000015
【図１５】
0003543684.tif 000016
【図１６】
0003543684.tif 000017